(57)【特許請求の範囲】
【請求項１】
スポーツ用具（２）に靴を保持するための組立体（１）であって、前記組立体は、
靴底を受け入れるために設けられる台座（３）と；
前記台座（３）を前記スポーツ用具に保持するために設けられるディスク（２０）であって、その厚さ方向に貫通し互いに平行な少なくとも２の細長孔（３４、３５、３６、３７）を有するディスクと；
各細長孔を貫通する少なくとも２のねじ（３０、３１、３２、３３）と；
前記ディスク（２０）に平行な板部材（５０）
とから成り、
前記板部材（５０）は前記ディスク（２０）の下部分の箇所に位置し、
前記板部材は前記細長孔の長さ方向に滑動し、また前記板部材には、その厚さ方向に少なくとも２の孔（５１、５２、５３、５４）が穿設され、
前記各ねじは前記板部材に穿設した１の孔を貫通し、
保持手段が前記板部材に前記ねじを保持し、少なくとも一つの保持手段が、前記ねじ（３０）のねじ切りを施した部分（５７）からなり、前記ねじ切りを施した部分（５７）の直径は前記孔（５１、５２、５３、５４）の直径と実質的に等しく、前記ねじを取り付けた後は、前記ねじ切りを施した部分（５７）が前記ねじの頭部（５５）に対して前記板部材(５０)の反対側に位置する、
ことを特徴とするスポーツ用具に靴を保持するための組立体。
【請求項２】
前記板部材（５０）が、前記ディスク（２０）の凹部（３５）内に収容されることを特徴とする請求項１に記載の靴保持用組立体。
【請求項３】
前記板部材（５０）の形状が正方形であること、および前記凹部（３５）の輪郭が平行六面体の形状であることを特徴とする請求項２に記載の靴保持用組立体。
【請求項４】
前記ディスク（２０）が、互いに平行で、２ずつ一線整列し、２ずつ向かい合う、４の細長孔（３４、３５、３６、３７）を有すること、および、前記板部材が正方形の四隅に配分された４の孔（５１、５２、５３、５４）を有することを特徴とする請求項１ないし３のいずれか１項に記載の靴保持用組立体。
【発明の詳細な説明】
【０００１】
本発明は、スポーツ用具に靴を保持するための組立体に関する。
【０００２】
このような組立体は、スノーサーフィンや、水上スキーや、雪上スキーや、雪上かんじきや、スケート・ボード等の分野で用いられる。
【０００３】
一般に、靴保持用組立体は、使用者の足部あるいは靴底を受け入れるために設けられる台座（底板）を含む。ディスクがスポーツ用具上に台座を保持する役目をし、ディスク自体は厚み方向にこのディスクの細長孔を突き抜けるねじによって該スポーツ用具上に保持される。
【０００４】
このスポーツ用具上に靴保持用組立体を取り付けたり、あるいはまた、該スポーツ用具に対して該組立体の位置を調節したりするためには、使用者は、一般に、このスポーツ用具に鋲着固定した軸受自体にねじを連続して締め付けなければならない。
【０００５】
ディスクに設けた細長孔を突き抜けて、軸受内にねじを配置できるようにするには、ある程度の熟練、したがって時間が必要である。個々のねじが軸受の位置を正しく割り出すためには、ねじを所定の位置に配置してから、これを連続して締め付けなければならない。
【０００６】
取付作業および調節作業は、比較的時間が掛かる面倒な仕事である。
【０００７】
本発明は、とりわけ、滑走板に靴を保持するための組立体を容易に配置できるようにすることを目的とする。
【０００８】
この目的のために、本発明は、靴底を受け入れるために設けられる台座と；スポーツ用具上に台座を保持するために設けられるディスクと；厚み方向に該ディスクを貫通する、互いに平行な少なくとも２の細長孔と；この細長孔の各々を貫通する少なくとも２のねじとを含む、スポーツ用具に靴を保持するための組立体を提案する。
【０００９】
本発明による靴保持用組立体の特徴は、さらに、該ディスクに平行な板部材を含み、この板部材は細長孔の長さ方向に滑動し、この板部材には少なくとも２の孔が厚さ方向に穿設され、各々のねじが該板部材の各孔を貫通し、保持手段が板部材にねじを保持する構成と成っていることにある。
【００１０】
したがって、使用者が、滑走板の軸受に向けてねじを配置するよう細長孔に沿ってねじを移動させると、全てのねじは同時に移動し、各々のねじが該滑走板の軸受に向けて配置される。
【００１１】
使用者は、ただ一回の操作によって全てのねじを所定の位置に配置する。その結果、取付作業と調節作業はより短く、かつ、より簡単になり、滑走板に対する靴保持用組立体の配置がより容易となる。
【００１２】
本発明の他の特徴および利点は、どのようにして本発明を実施できるかを示す、非限定的な例示について、添付の図面を参照しながら、以下の記載を読むことにより、より良く理解されよう。
【００１３】
第一の実施態様を図１ないし図４に従って以下に記載する。
【００１４】
図１から分かるように、靴保持用組立体はスポーツ用具２に靴（図示せず）の保持を可能にする。このスポーツ用具は滑走板の形で表されている。
【００１５】
公知の要領で、本発明の靴保持用組立体１は、後端部４と前端部５との間で長手方向Ｌに沿って延在する台座（底板）３を含む。この台座３の上面６は、靴底を受け入れるようになっている。また、台座３の下面７は、滑走板２の上部と接するようになっている。該上面６は、側板８、９によって少なくとも部分的に横断方向にその範囲を限定され、弓形部分１０が後端部４の側で側板８、９を互いに連結している。
【００１６】
台座３、側板８、９および弓形部分１０は、例えばプラスチック材で製作される、単一体（モノブロック）の形で表されている。しかしながら、側板８、９と弓形部分１０とを、接着やねじ止め等の何らか適宜な手段によって台座に取り付けるようにしてもよい。
【００１７】
必ずしも必要と言うわけではないが、クッション１１、１２、１３を台座３の上面６より突出させて配設する。これらのクッションは、衝撃を緩和するよう、シリコーンやポリウレタン等の柔軟なプラスチック材料で製作するとよい。
【００１８】
図示の実施態様によると、靴はベルト１４、１５の形で表される手段により台座３に保持される。該ベルトは、当業者に公知の手段によって、使用者が開いたり、閉じたり、締めつけたり、あるいは弛めたりすることができる。
【００１９】
もちろん、該靴保持手段は種々異なる型式のものであってもよい。例えば、台座に固定した１または複数個の鎖錠部材と靴に固定した１の鋲着部材を考えてもよく、この場合、鋲着部材は鎖錠部材内に取り外し可能に収容される。
【００２０】
弓形部分１０の箇所には、使用者が脚低部を靴保持用組立体１に対して後方支承可能にするための後部支承要素１６が配設される。この後部支承要素１６は、ほぼ横断方向軸に沿ってヒンジ連結され、該組立体を格納整理するために前方へ向けて折り畳むことができるようになっている。
【００２１】
ディスク２０が、靴保持用組立体１を滑走板２上に保持するようになっている。
【００２２】
この目的のために、ディスク２０は、肩部２２が乗る下部シリンダー２１の形で製作される。該ディスクは、台座３の円形開口２３内で上面６の側方にぴったり嵌合する。ディスク２０の外形と円形開口２３の形状とは互いに補完し合うものであり、この円形開口２３は肩部２４によってその下部分が制限される。
【００２３】
肩部２２、２４は平行六面体の輪郭を有するのが好ましいが、円錐台形あるいは丸みを帯びた形状の輪郭など、他の輪郭形状を有してもよい。
【００２４】
肩部２２、２４は、それぞれ、ディスク２０に対する台座３の障害により回転連結を実現するよう、互いに噛合する周囲歯部を有するのが好ましい。別の方法として、摩擦による連結を考えてもよい。
【００２５】
ディスク２０それ自体は、４本のねじ３０、３１、３２、３３の形で表される手段によって滑走板２に取り外し可能に一体連結される。これら４本のねじは、それぞれ、ディスク２０の厚さ方向に細長孔３４、３５、３６、３７を貫通する。
【００２６】
これら４本のねじは滑走板２内に（例えば、それ自体滑走板に固定されるねじ切りを施した軸受３８、３９、４０、４１に）ねじ締めされる。
【００２７】
これら４本の軸受は、各々、例えば一辺が４０ｍｍの正方形の頂点に位置する。
【００２８】
滑走板２に対してディスク２０を並進移動できるようにするためには、４個の細長孔３４、３５、３６、３７は互いに平行で、２ずつ一線整列し、また２ずつ向き合っていなければならない。
【００２９】
これらの細長孔は、全て長さが同一で、その長さは約２０ないし３０ｍｍであるのが好ましい。
【００３０】
もちろん、異なる数のねじと、異なる数の細長孔を設けることにしてもよい。例えば、３本のねじを二等辺三角形の頂部に各々配設してもよい。この場合、ディスクは３個の細長孔を有し、また軸受も三角形状に配列される。
【００３１】
本発明によれば、板部材５０が、細長孔の長さ方向に滑動できるよう、該ディスク２０に平行に配設される。
【００３２】
図３に示すように、該板部材５０はディスク２０の下部に設けた凹部５８内に収容される。この凹部５８は、ディスク２０の基部（ベース部）６０に対してほぼ平坦かつほぼ平行な底部５９を有する。該凹部５８の輪郭は平行六面体の形状を呈し、その小側面は板部材５０の側面にほぼ等しく、またその大側面は細長孔の長さに少なくとも等しい長さだけ、該板部材５０の側面よりも長く、かつ該細長孔３４、３５、３６、３７の長さに沿って方向付けられるのが好ましい。
【００３３】
板部材５０は、引き出しのように該凹部５８内をスライドするようになっている。
【００３４】
この板部材５０は正方形状の薄板で表され、その４個の隅部には４個の孔５１、５２、５３、５４が穿設される。これら４個の孔を割り振った隅部の配置は、滑走板の軸受３８、３９、４０、４１を配分した隅部と同一である。
【００３５】
孔の配分位置を同じにするには、十字形、円板形、枠形など、他の形状の板部材を用いてもよい。
【００３６】
板部材５０は、例えば、金属あるいはプラスチック材料で製作してもよく、その厚さは０．１ないし１ｍｍ程度とするのが好ましい。
【００３７】
図２から分かるように、板部材５０とねじ３０、３１、３２、３３は、該板部材５０がディスク２０上にねじを保持するような形状となっている。
【００３８】
例えば、ねじ３０は滑らかな部分５６を介して下方へ伸び出る頭部５５と、さらに、ねじ切りを施した部分５７とを含む。この滑らかな部分５６の直径は板部材５０の孔５１の直径よりも小さく、したがって、この平滑な部分は板部材の孔を通過する。
【００３９】
孔５１の直径は、ねじ切りを施した部分５７の直径にほぼ等しい。
【００４０】
したがって、この平滑な部分５６が孔５１の箇所に到達するまで、ねじを強制的にねじ込んで、板部材５０にねじ３０を取り付けることができる。ねじ締め後、ねじ切りを施した部分５７は、ねじ頭部５５およびディスク２０に対して板部材５０の反対側にある。
【００４１】
同様にして、他のねじ３１、３２、３３も板部材５０に保持される。
【００４２】
もちろん、該板部材５０上にねじを保持するための他の手段（例えば、ねじ本体を貫通する放射状の止めピンなど）を案出してもよい。
【００４３】
図４から分かるように、細長孔３４、３５の箇所で、ねじ３０、３１は、それぞれ、ディスク２０の細長孔と板部材５０の孔５１、５２とを同時に貫通して、該滑走板２の軸受３８、３９内にねじ締めされる。
【００４４】
したがって、靴保持用組立体を滑走板２に取り付ける際、ねじは該ディスク２０に組み合わされ、また、１のねじを１の軸受の上方に配置すると、他のねじも同時にそれぞれの軸受の上部で所定位置に配置される。板部材５０は、ねじの移動を細長孔内における並進移動に同調させる。
【００４５】
その結果、組立体１を滑走板２上に取り付ける作業がより迅速に行われることとなり、有利である。
【００４６】
もちろん、使用するねじの個数が違っていれば、板部材５０に設ける孔の数も異なってくる。３本のねじを三角形に配設する場合には、板部材に設ける３個の孔を三角形状に配置する。
【００４７】
図５および図６を参照して、本発明の第二実施態様を以下に説明する。説明の便宜上、理解に必要とされる部分についてのみ記載する。
【００４８】
靴保持用組立体（図示せず）は、ディスク７０を介して滑走板（図示せず）に取り外し可能に一体連結される。
【００４９】
公知の仕方で、ディスク７０は、肩部７２が乗っている下部シリンダー７１を有するのが好ましい。このディスクは保持用組立体の台座に嵌合するようになっている。４個のねじ７３、７４、７５、７６が滑走板上にディスク７０を保持し、かつ、この目的のために、細長孔７７、７８、７９、８０を貫通する。
【００５０】
もちろん、ここでも又、細長孔とねじについて別異の配置および／または個数を考えてみてもよい。
【００５１】
本発明によれば、板部材９０は、細長孔７７、７８、７９、８０の長さ方向に滑動できるよう、ディスク７０に対して平行に、かつ該ディスクの上部に、配設される。
【００５２】
板部材９０は正方形の薄板として表され、４個の孔９１、９２、９３、９４が該正方形の四隅に配分、穿設される。この場合もまた、該板部材は別の形状のものであってもよい。
【００５３】
板部材９０はディスク７０の上部分に配置される凹部９５に収容される。この凹部９５は、ディスク７０の上面９７に対してほぼ平坦で、かつ平行な底部９６を有する。
【００５４】
この凹部９５の輪郭は平行六面体をしており、板部材９０は引き出しのように該凹部９５内をスライドすることができる。
【００５５】
滑走板上にディスク７０を保持するには、ねじ７３、７４、７５、７６を、それぞれ、板部材９０の孔９１、９２、９３、９４およびディスク（円板）の細長孔７７、７８、７９、８０に貫通させる。
【００５６】
さらに、板部材９０は、細長孔に沿って、ねじの移動に同期する。
【００５７】
好ましい仕方で、保持手段は、各々のねじが板部材９０の孔内に自然に停まるようになっている。このような手段については、例えば、図６に示すねじ７３を参照して記載されている。
【００５８】
ねじ７３は頭部１００、平滑な部分１０１、および、ねじ切りを施した部分１０２を連続して有する。平滑な部分１０１の直径は板部材９０の孔９１の下部１０３の直径よりも小さく、したがって、この平滑な部分は孔内を通過する。
【００５９】
孔９１の下部１０３の直径は、ねじ切りを施した部分１０２の直径にほぼ等しい。
【００６０】
したがって、孔内に強制的にねじを締め込むことによって、板部材９０にねじ７３を取り付けることができる。ねじ締めを行った後、ねじ切りを施した部分１０２は、ねじ頭部１００よりも板部材９０の他側に在る。別のねじ７４、７５、７６は部材９０と同様にして保持される。
【００６１】
板部材９０は、該板部材の下面１０５の側に、ねじ７３用のボス１０４のような、４個のボス部を有する。これにより、各ねじ頭部を板部材の上面１０６の側にある凹部内に収容することが可能となる。
【００６２】
さらに、板部材９０上にねじを維持するための他の手段を案出してもよい。
【００６３】
本発明の第三実施態様を、図７を参照して以下に説明する。説明を明解にするため、理解に必要な部分のみについて記載する。
【００６４】
この実施態様は、前述した第一実施態様または第二実施態様と同じであってもよく、板部材の構造自体を変更した点が異なっている。すなわち、板部材（参照符号１２０で示すもの）は、やはり、ねじを通すための孔１２１、１２２、１２３、１２４を有する。各孔はスリット１２５、１２６、１２７、１２８を介して板部材の周囲と連通している。この板部材１２０は、プラスチック材料あるいは金属材料で製作され、その厚さは０．５ないし３ｍｍである。各スリットは、孔の箇所で該板部材の変形を可能にする。それゆえ、ねじを回転させないで軸方向に付勢させることにより、ねじを通過させることができる。
【００６５】
一般的な仕方で、本発明は、当業者に周知となっているあらゆる手段と材料を用いて実施することができる。
【００６６】
もちろん、本発明は以上に記載してきた諸実施態様に限定されるものではないとともに、冒頭の特許請求の範囲に入り得る全ての技術的均等物を包含するものである。
【００６７】
とりわけ、同期用の板部材をディスクの凹部に収容する必要はない。
【００６８】
該同期用の板部材は、ねじ通過用の孔の箇所で変形可能な内孔を有し、プラスチック材料で製作することができる。
【００６９】
その上、ディスクを用いないで、台座に直接細長孔を配置するようにしてもよい。
【図面の簡単な説明】
【図１】本発明による、靴保持用組立体の第一実施態様を示す分解斜視図である。
【図２】図１の靴保持用組立体を示す部分的な平坦分解図である。
【図３】第一実施態様による、靴保持用組立体のディスクと板部材を下方から見た斜視図である。
【図４】図１のＩＶ−ＩＶ線に沿って見た部分断面図である。
【図５】本発明の第二実施態様による、靴保持用組立体の部分的な分解斜視図である。
【図６】図５の靴保持用組立体を示す部分的な平坦分解図である。
【図７】本発明の第三実施態様による、板部材の上面図である。
【符号の説明】
１  ・・・・・・靴保持用組立体
２  ・・・・・・スポーツ用具
３  ・・・・・・台座
２０、７０  ・・・・・・ディスク（円板）
３０、３１、３２、３３、
７３、７４、７５、７６  ・・・ねじ
３４、３５、３６、３７、７７、７８、７９、８０  ・・・細長孔
５０、９０、１２０  ・・・・・・板部材
５１、５２、５３、５４、９１、９２、９３、９４、
１２１，１２２，１２３，１２４  ・・・孔
５５、９５  ・・・・・・（ディスクの）凹部
【図１】
0004152620.tif 000002
【図２】
0004152620.tif 000003
【図３】
0004152620.tif 000004
【図４】
0004152620.tif 000005
【図５】
0004152620.tif 000006
【図６】
0004152620.tif 000007
【図７】
0004152620.tif 000008